(57)【特許請求の範囲】
【請求項１】
スライド動作の可能なディスク搭載トレイに搭載して、磁石の吸引力でチャッキングされる光磁気ディスクとＣＤ−ＲＯＭの双方をチャッキング可能な構成とされたコンパチブルドライブ装置であって、
磁石を備えて、前記光磁気ディスクの装着をする光磁気ディスク用ターンテーブルと、
前記ＣＤ−ＲＯＭが装着されると共に、前記光磁気ディスクの前記光磁気ディスク用ターンテーブルへの装着時には、前記ＣＤ−ＲＯＭ装着時の初期位置から前記光磁気ディスク用ターンテーブルに対して相対的に下降動作が可能なＣＤ−ＲＯＭ用ターンテーブルと、
前記ＣＤ−ＲＯＭ装着時に前記ＣＤ−ＲＯＭ用ターンテーブル上のＣＤ−ＲＯＭのクランプと前記ＣＤ−ＲＯＭの位置決めを行うクランプ機構とを具備し、
前記光磁気ディスクの光磁気ディスク用ターンテーブルへの装着時に、下降したＣＤ−ＲＯＭ用ターンテーブルの光磁気ディスク用ターンテーブルに対する動きを規制して、ＣＤ−ＲＯＭ用ターンテーブルを光磁気ディスクと干渉不能な位置に保持する弾性部材を、光磁気ディスク用ターンテーブルとＣＤ−ＲＯＭ用ターンテーブルとの間に設けたことを特徴とするコンパチブルドライブ装置。
【請求項２】
請求項１記載のコンパチブルドライブ装置において、
前記ＣＤ−ＲＯＭ装着時に前記ＣＤ−ＲＯＭ用ターンテーブルの前記光磁気ディスク用ターンテーブルに対する動きを規制して、前記ＣＤ−ＲＯＭ用ターンテーブルを前記初期位置に保持する保持機構を設け、前記ＣＤ−ＲＯＭ用ターンテーブルの前記ＣＤ−ＲＯＭ装着時の動作を前記光磁気ディスク用ターンテーブルの動作と一体化したものとする構成としたことを特徴とするコンパチブルドライブ装置。
【請求項３】
請求項２記載のコンパチブルドライブ装置において、
前記保持機構は、前記ＣＤ−ＲＯＭ装着時に前記ＣＤ−ＲＯＭ用ターンテーブルを前記光磁気ディスク用ターンテーブルに吸着させて、前記ＣＤ−ＲＯＭ用ターンテーブルを前記初期位置に保持する構成としたことを特徴とするコンパチブルドライブ装置。
【請求項４】
請求項３記載のコンパチブルドライブ装置において、
前記保持機構は、前記ＣＤ−ＲＯＭ用ターンテーブルと前記光磁気ディスク用ターンテーブルとを磁石の発生する磁力を用いて前記初期位置に保持する構成としたことを特徴とするコンパチブルドライブ装置。
【請求項５】
請求項３又は請求項４の何れか記載のコンパチブルドライブ装置において、
前記光磁気ディスク用ターンテーブルと前記ＣＤ−ＲＯＭ用ターンテーブルの吸着による接触部分の少なくとも一方はテーパー状形状であり、他方には一方に形成されたテーパー状形状に勘合する段付き部が設けられてなることを特徴とするコンパチブルドライブ装置。
【請求項６】
請求項１乃至請求項５の何れか一項記載のコンパチブルドライブ装置において、
前記クランプ機構は、磁力による吸着の可能な部材を具備して前記ＣＤ−ＲＯＭ用ターンテーブルと対向する上方位置に、上下移動が可能且つ前記ＣＤ−ＲＯＭ用ターンテーブルと同一の回転軸での回転が自在となるように設けられたクランプハブからなり、
前記ＣＤ−ＲＯＭ装着時の初期位置で、前記クランプハブを前記ＣＤ−ＲＯＭの持つ中心孔に嵌合すると共に、前記光磁気ディスク用ターンテーブルの磁石による磁力により固定して、前記ＣＤ−ＲＯＭ用ターンテーブル上のＣＤ−ＲＯＭをクランプする構成としたことを特徴とするコンパチブルドライブ装置。
【請求項７】
請求項６記載のコンパチブルドライブ装置において、
前記クランプハブは、前記ＣＤ−ＲＯＭの持つ中心孔に嵌合する部分がテーパー状に形成されて構成されたことを特徴とするコンパチブルドライブ装置。
【請求項８】
請求項１乃至請求項７の何れか一項記載のコンパチブルドライブ装置において、
チャッキングされた状態における前記ＣＤ−ＲＯＭの記録面の位置と、チャッキングされた状態における前記光磁気ディスクの記録面の位置とが同一面となるように構成したことを特徴とするコンパチブルドライブ装置。
【請求項９】
スライド動作の可能なディスク搭載トレイに搭載して、磁石の吸引力でチャッキングされる光磁気ディスクとＣＤ−ＲＯＭの双方をチャッキング可能な構成とされたコンパチブルドライブ装置であって、
磁石を備えて、前記光磁気ディスクの装着をする光磁気ディスク用ターンテーブルと、
前記ＣＤ−ＲＯＭが装着されると共に、前記光磁気ディスクの前記光磁気ディスク用ターンテーブルへの装着時には、前記ＣＤ−ＲＯＭ装着時の初期位置から前記光磁気ディスク用ターンテーブルに対して相対的に下降動作が可能なＣＤ−ＲＯＭ用ターンテーブルと、
前記ＣＤ−ＲＯＭ装着時に前記ＣＤ−ＲＯＭ用ターンテーブル上のＣＤ−ＲＯＭのクランプと前記ＣＤ−ＲＯＭの位置決めを行うクランプ機構とを具備し、
前記ディスク搭載トレイのスライド動作に連動し、前記の下降したＣＤ−ＲＯＭ用ターンテーブルを前記ＣＤ−ＲＯＭ装着時の初期位置に復帰させることの可能な復帰機構を有することを特徴とするコンパチブルドライブ装置。
【請求項１０】
請求項９記載のコンパチブルドライブ装置において、
前記復帰機構は、前記ディスク搭載トレイ上に設けられた復帰ツメが前記スライド動作時に、前記の下降したＣＤ−ＲＯＭ用ターンテーブルを前記光磁気ディスク用ターンテーブルに対して相対的に上昇するように付勢し、前記ＣＤ−ＲＯＭ装着時の初期位置に前記ＣＤ−ＲＯＭ用ターンテーブルを復帰させる構成としたことを特徴とするコンパチブルドライブ装置。
【請求項１１】
スピンドルに嵌装されており、光磁気ディスクをチャッキングする光磁気ディスク用ターンテーブルと、
前記光磁気ディスク用ターンテーブルとの間で挟持するスプリングと、配設された磁石により前記光磁気ディスク用ターンテーブルに着脱自在、且つ退避状態の保持可能な構成とされ、前記光磁気ディスク用ターンテーブルに装着した状態でＣＤ−ＲＯＭの装着が可能とされると共に、前記光磁気ディスクのチャッキング時には、前記光磁気ディスク用ターンテーブルに対して相対的に下降動作して前記退避状態をとり、前記光磁気ディスク用ターンテーブルへの前記光磁気ディスクのチャッキングを可能とするＣＤ−ＲＯＭ用ターンテーブルと、
前記ＣＤ−ＲＯＭ用ターンテーブルと対向する位置で回転自在に設けられ、ＣＤ−ＲＯＭ装着時には前記初期位置で前記スピンドルと嵌合し且つ前記ＣＤ−ＲＯＭの中心孔に具備するテーパー面を用いて嵌合すると共に、前記光磁気ディスク用ターンテーブルに磁力により固定され、前記ＣＤ−ＲＯＭを芯出して前記ＣＤ−ＲＯＭ用ターンテーブルとの間でチャッキングするクランプハブと、
スライド動作の可能なディスク搭載トレイと、を具備し、更に、前記ディスク搭載トレイに復帰ツメを設け、前記スライド動作時に、前記退避状態のＣＤ−ＲＯＭ用ターンテーブルを前記光磁気ディスク用ターンテーブルに対して相対的に上昇するように付勢して、前記ＣＤ−ＲＯＭ装着状態に復帰させる構成としたことを特徴とするコンパチブルドライブ装置。
【請求項１２】
スライド動作の可能なディスク搭載トレイに搭載して、磁石の吸引力でチャッキングされ、カートリッジに収納されるカートリッジ収納ディスクと、クランプハブによりチャッキングされ、カートリッジに収納されないコンパクトディスクの双方をチャッキング可能な構成とされたコンパチブルドライブ装置であって、
磁石を備え、前記カートリッジ収納ディスクの装着をする第１のターンテーブルと、
前記コンパクトディスクが装着されると共に、カートリッジ収納ディスクの第１のターンテーブルへの装着時には、前記コンパクトディスクの装着時の初期位置から前記第１のターンテーブルに対して相対的に下降動作が可能な第２のターンテーブルと、
前記コンパクトディスクの装着時に前記第２のターンテーブル上のコンパクトディスクのクランプおよび位置決めを行うクランプ機構とを具備し、
前記カートリッジ収納ディスクの第１ターンテーブルへの装着時に下降した第２のターンテーブルの前記第１のターンテーブルに対する動きを規制して、第２のターンテーブルをカートリッジ収納ディスクと干渉不能な位置に保持する弾性部材を第１のターンテーブルと第２のターンテーブルとの間に設けたことを特徴とするコンパチブルドライブ装置。
【請求項１３】
スライド動作の可能なディスク搭載トレイに搭載して、磁石の吸引力でチャッキングされ、カートリッジに収納されるカートリッジ収納ディスクと、クランプハブによりチャッキングされ、カートリッジに収納されないコンパクトディスクの双方をチャッキング可能な構成とされたコンパチブルドライブ装置であって、
磁石を備え、前記カートリッジ収納ディスクの装着をする第１のターンテーブルと、
前記コンパクトディスクが装着されると共に、カートリッジ収納ディスクの第１のターンテーブルへの装着時には、前記コンパクトディスクの装着時の初期位置から前記第１のターンテーブルに対して相対的に下降動作が可能な第２のターンテーブルと、
前記コンパクトディスクの装着時に前記第２のターンテーブル上のコンパクトディスクのクランプおよび位置決めを行うクランプ機構とを具備し、
前記ディスク搭載トレイのスライド動作に連動し、下降した第２のターンテーブルをコンパクトディスクの装着時の初期位置に復帰させることの可能な復帰機構を有することを特徴とするコンパチブルドライブ装置。
【発明の詳細な説明】
【０００１】
【発明の属する技術分野】
本発明はコンパチブルドライブ装置に係り、特にカートリッジに収納された光磁気ディスク（ＭＯ）と、カートリッジに収納されないＣＤ−ＲＯＭ等の異なる規格のディスクを共通に記録再生可能な構成としたコンパチブルドライブ装置に関する。
【０００２】
【従来の技術】
近年、コンピュータの外部記憶媒体として、読み込み専用コンパクトディスク型メモリ（以下、ＣＤ−ＲＯＭという）及び光磁気ディスク（以下、ＭＯという）が多用されている。このＣＤ−ＲＯＭとＭＯとは、ディスクドライブ装置にセットするための構成が相違している。
【０００３】
例えば、ＭＯではチャッキング面と記録面が一致せず段差が存在するのに対し、ＣＤ−ＲＯＭではチャッキング面と記録面が一致している。また、ＣＤ−ＲＯＭの外形は１２０ｍｍであるが、一般的によく使用される３．５”ＭＯでは、８６ｍｍである。また、ＭＯはカートリッジに収納されているのに対し、ＣＤ−ＲＯＭはカートリッジに収納されていない。
【０００４】
更には、ＣＤ−ＲＯＭは中心に形成されたφ１５ｍｍのセンターホールでチャッキングするのに対し、ＭＯでは金属製のハブディスクをマグネットより吸着してチャッキングする。従って、ＭＯとＣＤ−ＲＯＭは同一のドライブで再生／記録することは難しい。
そこで、デスクトップ型パソコンではＣＤ−ＲＯＭには専用のＣＤ−ＲＯＭドライブ、ＭＯには専用のＭＯドライブを内蔵ファイルベイに取り付けたり、ケーブルによって外部接続して使用する。また、ノートパソコンでは内蔵ＣＤ−ＲＯＭドライブ装置が普及してきているが、ＭＯを利用するときにはケーブルにてＭＯドライブ装置を外部接続するのが一般的である。
【０００５】
【発明が解決しようとする課題】
しかし、ＭＯとＣＤ−ＲＯＭの両方を使用する場合には、別々の専用ドライブ装置を準備することになり、ＭＯまたはＣＤ−ＲＯＭのいずれか一方だけのドライブ装置と比べて、より大きい設置スペースを必要とするという問題があった。例えば、通常のデスクトップ型パソコンでは、内蔵ファイルベイを一つしか持たないことが多く、ＣＤ−ＲＯＭ装置をそこに設置してしまうとＭＯ装置は外付けせざるを得ず、より広いスペースを必要とする。
【０００６】
またノートパソコンにおいては、外付けＭＯ装置を接続すると単独で持ち運びが不可能になってしまい、ノートパソコン最大の特徴である携帯性を失ってしまうことになる問題があった。
本発明は従来の技術が有するこのような問題点に鑑みてなされたものであり、その目的とするところは、カートリッジに収納されたＭＯディスクと、カートリッジに収納されないＣＤ−ＲＯＭを、特別なアタッチメント等を必要とせずに共通のターンテーブルで駆動することによって、単独のドライブ装置で両者に対応可能で、しかも省スペースが図れるコンパチブルドライブ装置を提供することにある。
【０００７】
【課題を解決するための手段】
上記課題を解決するために本発明では、次の手段を講じたことを特徴とするものである。請求項１記載の発明は、スライド動作の可能なディスク搭載トレイに搭載して、磁石の吸引力でチャッキングされる光磁気ディスクとＣＤ−ＲＯＭの双方をチャッキング可能な構成とされたコンパチブルドライブ装置であって、磁石を備えて、前記光磁気ディスクの装着をする光磁気ディスク用ターンテーブルと、前記ＣＤ−ＲＯＭが装着されると共に、前記光磁気ディスクの前記光磁気ディスク用ターンテーブルへの装着時には、前記ＣＤ−ＲＯＭ装着時の初期位置から前記光磁気ディスク用ターンテーブルに対して相対的に下降動作が可能なＣＤ−ＲＯＭ用ターンテーブルと、前記ＣＤ−ＲＯＭ装着時に前記ＣＤ−ＲＯＭ用ターンテーブル上のＣＤ−ＲＯＭのクランプと前記ＣＤ−ＲＯＭの位置決めを行うクランプ機構とを具備し、前記光磁気ディスクの光磁気ディスク用ターンテーブルへの装着時に、下降したＣＤ−ＲＯＭ用ターンテーブルの光磁気ディスク用ターンテーブルに対する動きを規制して、ＣＤ−ＲＯＭ用ターンテーブルを光磁気ディスクと干渉不能な位置に保持する弾性部材を、光磁気ディスク用ターンテーブルとＣＤ−ＲＯＭ用ターンテーブルとの間に設けたことを特徴とする。
【０００８】
請求項２記載の発明は、
請求項１記載のコンパチブルドライブ装置において、
前記ＣＤ−ＲＯＭ装着時に前記ＣＤ−ＲＯＭ用ターンテーブルの前記光磁気ディスク用ターンテーブルに対する動きを規制して、前記ＣＤ−ＲＯＭ用ターンテーブルを前記初期位置に保持する保持機構を設け、前記ＣＤ−ＲＯＭ用ターンテーブルの前記ＣＤ−ＲＯＭ装着時の動作を前記光磁気ディスク用ターンテーブルの動作と一体化したものとする構成としたことを特徴とする。
【０００９】
請求項３記載の発明は、
請求項２記載のコンパチブルドライブ装置において、
前記保持機構は、
前記ＣＤ−ＲＯＭ装着時に前記ＣＤ−ＲＯＭ用ターンテーブルを前記光磁気ディスク用ターンテーブルに吸着させて、前記ＣＤ−ＲＯＭ用ターンテーブルを前記初期位置に保持する構成としたことを特徴とする。
【００１０】
請求項４記載の発明は、
請求項３記載のコンパチブルドライブ装置において、
前記保持機構は、
前記ＣＤ−ＲＯＭ用ターンテーブルと前記光磁気ディスク用ターンテーブルとを磁石の発生する磁力を用いて前記初期位置に保持する構成としたことを特徴とする。
【００１１】
請求項５記載の発明は、請求項３又は請求項４の何れか記載のコンパチブルドライブ装置において、前記光磁気ディスク用ターンテーブルと前記ＣＤ−ＲＯＭ用ターンテーブルの吸着による接触部分の少なくとも一方はテーパー状形状であり、他方には一方に形成されたテーパー状形状に勘合する段付き部が設けられてなることを特徴とする。
【００１３】
請求項６記載の発明は、請求項１乃至請求項５の何れか一項記載のコンパチブルドライブ装置において、前記クランプ機構は、磁力による吸着の可能な部材を具備して前記ＣＤ−ＲＯＭ用ターンテーブルと対向する上方位置に、上下移動が可能且つ前記ＣＤ−ＲＯＭ用ターンテーブルと同一の回転軸での回転が自在となるように設けられたクランプハブからなり、前記ＣＤ−ＲＯＭ装着時の初期位置で、前記クランプハブを前記ＣＤ−ＲＯＭの持つ中心孔に嵌合すると共に、前記光磁気ディスク用ターンテーブルの磁石による磁力により固定して、前記ＣＤ−ＲＯＭ用ターンテーブル上のＣＤ−ＲＯＭをクランプする構成としたことを特徴とする。
【００１４】
請求項７記載の発明は、請求項６記載のコンパチブルドライブ装置において、前記クランプハブは、前記ＣＤ−ＲＯＭの持つ中心孔に嵌合する部分がテーパー状に形成されて構成されたことを特徴とする。請求項８記載の発明は、請求項１乃至請求項７の何れか一項記載のコンパチブルドライブ装置において、チャッキングされた状態における前記ＣＤ−ＲＯＭの記録面の位置と、チャッキングされた状態における前記光磁気ディスクの記録面の位置とが同一面となるように構成したことを特徴とする。
【００１５】
請求項９記載の発明は、スライド動作の可能なディスク搭載トレイに搭載して、磁石の吸引力でチャッキングされる光磁気ディスクとＣＤ−ＲＯＭの双方をチャッキング可能な構成とされたコンパチブルドライブ装置であって、磁石を備えて、前記光磁気ディスクの装着をする光磁気ディスク用ターンテーブルと、前記ＣＤ−ＲＯＭが装着されると共に、前記光磁気ディスクの前記光磁気ディスク用ターンテーブルへの装着時には、前記ＣＤ−ＲＯＭ装着時の初期位置から前記光磁気ディスク用ターンテーブルに対して相対的に下降動作が可能なＣＤ−ＲＯＭ用ターンテーブルと、前記ＣＤ−ＲＯＭ装着時に前記ＣＤ−ＲＯＭ用ターンテーブル上のＣＤ−ＲＯＭのクランプと前記ＣＤ−ＲＯＭの位置決めを行うクランプ機構とを具備し、前記ディスク搭載トレイのスライド動作に連動し、前記の下降したＣＤ−ＲＯＭ用ターンテーブルを前記ＣＤ−ＲＯＭ装着時の初期位置に復帰させることの可能な復帰機構を有することを特徴とする。
【００１６】
請求項１０記載の発明は、請求項９記載のコンパチブルドライブ装置において、前記復帰機構は、前記ディスク搭載トレイ上に設けられた復帰ツメが前記スライド動作時に、前記の下降したＣＤ−ＲＯＭ用ターンテーブルを前記光磁気ディスク用ターンテーブルに対して相対的に上昇するように付勢し、前記ＣＤ−ＲＯＭ装着時の初期位置に前記ＣＤ−ＲＯＭ用ターンテーブルを復帰させる構成としたことを特徴とする。
【００１７】
請求項１１記載の発明は、スピンドルに嵌装されており、光磁気ディスクをチャッキングする光磁気ディスク用ターンテーブルと、前記光磁気ディスク用ターンテーブルとの間で挟持するスプリングと、配設された磁石により前記光磁気ディスク用ターンテーブルに着脱自在、且つ退避状態の保持可能な構成とされ、前記光磁気ディスク用ターンテーブルに装着した状態でＣＤ−ＲＯＭの装着が可能とされると共に、前記光磁気ディスクのチャッキング時には、前記光磁気ディスク用ターンテーブルに対して相対的に下降動作して前記退避状態をとり、前記光磁気ディスク用ターンテーブルへの前記光磁気ディスクのチャッキングを可能とするＣＤ−ＲＯＭ用ターンテーブルと、前記ＣＤ−ＲＯＭ用ターンテーブルと対向する位置で回転自在に設けられ、ＣＤ−ＲＯＭ装着時には前記初期位置で前記スピンドルと嵌合し且つ前記ＣＤ−ＲＯＭの中心孔に具備するテーパ面を用いて嵌合すると共に、前記光磁気ディスク用ターンテーブルに磁力により固定され、前記ＣＤ−ＲＯＭを芯出して前記ＣＤ−ＲＯＭ用ターンテーブルとの間でチャッキングするクランプハブと、スライド動作の可能なディスク搭載トレイと、を具備し、更に、前記ディスク搭載トレイに復帰ツメを設け、前記スライド動作時に、前記退避状態のＣＤ−ＲＯＭ用ターンテーブルを前記光磁気ディスク用ターンテーブルに対して相対的に上昇するように付勢して、前記ＣＤ−ＲＯＭ装着状態に復帰させる構成としたことを特徴とする。
【００１８】
上記した各手段は、次のように作用する。
請求項１記載の発明によれば、
クランプ機構により、ＣＤ−ＲＯＭのチャッキング時に、ＣＤ−ＲＯＭ用ターンテーブル上の求める位置でのＣＤ−ＲＯＭの装着を確実にすることができる。そして、ＣＤ−ＲＯＭ用ターンテーブルの下降動作により、ＣＤ−ＲＯＭ用ターンテーブルと光磁気ディスクとの干渉無く、光磁気ディスクが光磁気ディスク用ターンテーブルに装着可能となる。
【００１９】
これにより、ＣＤ−ＲＯＭと光磁気ディスクとを選択的にチャッキングすることが可能となり、よって同一のドライブ装置でＣＤ−ＲＯＭ及び光磁気ディスクをドライブさせることが可能となる。また、弾性部材により、光磁気ディスクのチャッキング時に、下降動作したＣＤ−ＲＯＭ用ターンテーブルを退避位置に保持することが可能となり、光磁気ディスクのチャッキング時において、不用意にＣＤ−ＲＯＭ用ターンテーブルが移動して光磁気ディスクと干渉することを防止することができる。また、請求項２記載の発明によれば、ＣＤ−ＲＯＭ装着時のＣＤ−ＲＯＭ用ターンテーブルの動作を光磁気ディスク用ターンテーブルの動作と一体化する保持機構により、光磁気ディスクをドライブするドライブ動作のみで、ＣＤ−ＲＯＭ用ターンテーブルに装着されたＣＤ−ＲＯＭをドライブすることが可能となる。
【００２０】
従って、同一のドライブ装置でＣＤ−ＲＯＭ及び光磁気ディスクをドライブさせることが可能となる。
また、請求項３記載の発明によれば、
保持機構を、ＣＤ−ＲＯＭ用ターンテーブルを光磁気ディスク用ターンテーブルに吸着させて保持するものとすることにより、ＣＤ−ＲＯＭ用ターンテーブルと光磁気ディスク用ターンテーブルとの相対的な位置の設定が容易となり、その保持を確実なものとすることができる。
【００２１】
よって、ＣＤ−ＲＯＭ用ターンテーブルに装着されたＣＤ−ＲＯＭのドライブ動作と光磁気ディスクのドライブ動作との動作の一体化を高い精度で行うことが可能となる。
従って、同一のドライブ装置でＣＤ−ＲＯＭ及び光磁気ディスクを確実にドライブさせることが可能となる。
【００２２】
また、請求項４記載の発明によれば、
保持機構として磁石を用いたことにより、簡単かつ安価な構成でＣＤ−ＲＯＭ用ターンテーブルに装着されたＣＤ−ＲＯＭのドライブ動作と光磁気ディスクのドライブ動作との動作の一体化を確実に高い精度で行うことが可能となる。
また、請求項５記載の発明によれば、
光磁気ディスク用ターンテーブルとＣＤ−ＲＯＭ用ターンテーブルの吸着による接触部分の少なくとも一方をテーパー状形状として構成することにより、ＣＤ−ＲＯＭ用ターンテーブルと光磁気ディスク用ターンテーブルとの相対的な位置の設定が精度良く且つ容易となり、その保持を再現性良く且つ確実なものとすることができる。
【００２３】
よって、ＣＤ−ＲＯＭ用ターンテーブルに装着されたＣＤ−ＲＯＭのドライブ動作と光磁気ディスクのドライブ動作との動作の一体化を高い精度で確実に行うことが可能となる。
【００２４】
また、請求項６記載の発明によれば、クランプ機構を構成するクランプハブは、ＣＤ−ＲＯＭの中心孔に嵌合し、磁力を用いて自身を光磁気ディスク用ターンテーブルに固定する。その結果クランプハブが嵌合しているＣＤ−ＲＯＭを光磁気ディスク用ターンテーブルと一体となったＣＤ−ＲＯＭ用ターンテーブルとの間で強くクランプすることが可能となり、確実なＣＤ−ＲＯＭのクランプを可能とする。
【００２５】
そしてこのとき、ＣＤ−ＲＯＭ用ターンテーブルと同一の回転軸での回転が自在とされており、クランプ後、ＣＤ−ＲＯＭのドライブ動作の支障となることはない。
よって、確実でドライブ動作に支障のないＣＤ−ＲＯＭのＣＤ−ＲＯＭ用ターンテーブルへのチャッキングが可能となる。
【００２６】
また、請求項７記載の発明によれば、クランプハブは、ＣＤ−ＲＯＭの持つ中心孔に嵌合する部分をテーパ状とすることにより、ＣＤ−ＲＯＭ用ターンテーブル上でのＣＤ−ＲＯＭの位置決めを精度良く且つ容易に行うことを可能とし、ＣＤ−ＲＯＭのクランプと同時にその位置決めを確実に再現性良く行うことを可能とする。
【００２７】
また、請求項８記載の発明によれば、チャッキングされた状態におけるＣＤ−ＲＯＭの記録面の位置と、チャッキングされた状態における光磁気ディスクの記録面の位置とが同一面となるよう構成したことにより、各ディスクに応じて記録／再生用のヘッドの駆動位置を変更する必要はなく、よってヘッドの駆動機構の簡単化を図ることができると共に装置の小型化を図ることができる。
【００２８】
また、請求項９記載の発明によれば、復帰機構により、ディスク搭載トレイのスライド動作後に行う、ディスクの装着時には、例えＣＤ−ＲＯＭ用ターンテーブルが下降した状態で装着された光磁気ディスクをＣＤ−ＲＯＭに取り替えようとする場合でも、装置をＣＤ−ＲＯＭ又は光磁気ディスクの何れをも装着可能な状態に自動的にすることが可能となる。
【００２９】
従って、ＣＤ−ＲＯＭと光磁気ディスクとを選択的にいつでもチャッキングすることが可能となり、同一のドライブ装置でＣＤ−ＲＯＭ及び光磁気ディスクをドライブさせることが可能となる。また、請求項１０記載の発明によれば、復帰機構にディスク搭載トレイ上の設けられた復帰ツメを用いることにより、簡単かつ安価な構成で、ディスク搭載トレイのスライド動作時に、光磁気ディスク装着により下降したＣＤ−ＲＯＭ用ターンテーブルをＣＤ−ＲＯＭ装着も可能な状態に確実に復帰させることが可能となる。
【００３０】
従って、ＣＤ−ＲＯＭと光磁気ディスクとを選択的にいつでもチャッキングすることが可能となり、同一のドライブ装置でＣＤ−ＲＯＭ及び光磁気ディスクをドライブさせることが可能となる。また、請求項１１記載の発明によれば、ドライブ動作を担うスピンドルに嵌装された光磁気ディスク用ターンテーブルにＣＤ−ＲＯＭ用ターンテーブルが装着された構成とすることにより、ＣＤ−ＲＯＭ用ターンテーブル上のＣＤ−ＲＯＭのドライブを光磁気ディスクのドライブ動作を担うスピンドルによってすることが可能となる。
【００３１】
そして、光磁気ディスクのチャッキング時には、ＣＤ−ＲＯＭ用ターンテーブルを光磁気ディスク用ターンテーブルから離して退避状態にすることができ、ＣＤ−ＲＯＭ用ターンテーブルに干渉されない光磁気ディスクのチャッキングが可能となる。
従って、同一のドライブ装置で簡単な構成によりＣＤ−ＲＯＭ及び光磁気ディスクをドライブさせることが可能となる。
【００３２】
更に、ＣＤ−ＲＯＭの中心孔に嵌合してＣＤ−ＲＯＭをＣＤ−ＲＯＭ用ターンテーブルとの間でチャッキングするクランプハブを、ドライブ動作を担うスピンドルに嵌合させ、且つ磁力を用いてスピンドルに嵌装された光磁気ディスク用ターンテーブルに固定することにより、ＣＤ−ＲＯＭ用ターンテーブル上でのＣＤ−ＲＯＭの芯出しを確実且つ容易なものとすることが可能となる。
【００３３】
また、復帰機構により、ディスク搭載トレイのスライド動作後に行う、ディスクの装着時には、例えＣＤ−ＲＯＭ用ターンテーブルが下降した状態で装着された光磁気ディスクをＣＤ−ＲＯＭに取り替えようとする場合でも、装置をＣＤ−ＲＯＭ又は光磁気ディスクの何れをも装着可能な状態に自動的にすることが可能となる。
【００３４】
以上より、ＣＤ−ＲＯＭと光磁気ディスクとを選択的にいつでも正しい位置にチャッキングすることが可能であり、ＣＤ−ＲＯＭ及び光磁気ディスクの双方をドライブさせることが可能なドライブ装置を提供することができる。
【００３５】
【発明の実施の形態】
次に本発明の実施の形態について図面と共に説明する。
図１は本発明の一実施例であるコンパチブルドライブ装置１の外観を示す斜視図（ディスク搭載トレイの引き出された状態）である。図２はＣＤ−ＲＯＭ装着状態におけるコンパチブルドライブ装置１の断面図であり、図３は光磁気ディスク装着状態におけるコンパチブルドライブ装置１の断面図である。図４はＣＤ−ＲＯＭ装着状態におけるコンパチブルドライブ装置１の平面図であり、図５は光磁気ディスク装着状態におけるコンパチブルドライブ装置１の平面図である。図６はコンパチブルドライブ装置１の分解斜視図及び対応する断面図である。更に図７及び図８はコンパチブルドライブ装置１の動作を説明するための図である。
【００３６】
図１乃至図８に示すように、コンパチブルドライブ装置１は、大略すると、ＭＯカートリッジ１０に収納されている光磁気ディスク１０ａ（以下、ＭＯと示す）を載置するＭＯ用ターンテーブル２と、読み込み専用コンパクトディスク型メモリ２５（以下、ＣＤ−ＲＯＭという）を載置するＣＤ−ＲＯＭ用ターンテーブル４と、ＣＤ−ＲＯＭ２５をＣＤ−ＲＯＭ用ターンテーブル４とで挟持するＣＤ−ＲＯＭクランプハブ５と、ＭＯ１０ａ及びＣＤ−ＲＯＭ２５を搭載し、かつスライド動作に連動してＣＤ−ＲＯＭ用ターンテーブル４を常にＣＤ−ＲＯＭ２５のチャッキング可能な所定位置に復帰させるディスク搭載トレイ１００（図２及び図３では図示されない）等により構成されている。
【００３７】
各図に基づいて本実施例の詳細な構成を説明する。
図中、３はＭＯ１０ａ及びＣＤ−ＲＯＭ２５を共に回転させる為のスピンドルモータであり、ドライブベース部１２１に設置される。３ａはスピンドルシャフトで、その軸径はＭＯセンターホール１０ｃががたつきなく位置決めされる径に設定されており、先端がＭＯセンターホール１０ｃに進入しやすいように曲面を持って形成されている。
【００３８】
２ｄはＭＯ用ターンテーブルキャップで、中心穴をスピンドルシャフト３ａに圧入されスピンドルシャフト３ａの回転に伴い、すべりなく回転することが可能となるように構成されている。
２ｃはＭＯ吸着マグネットであり、ＭＯ用ターンテーブルキャップ２ｄの上部に固定されている。ＭＯカートリッジ１０は、内蔵するＭＯディスク１０ａの中心に取り付けられた鉄製のチャッキングハブ１０ｄがＭＯ吸着マグネット２ｃに吸着されることで、ＭＯ用ターンテーブル２にチャッキングされる。
【００３９】
２ｅは後述するＣＤ−ＲＯＭ用ターンテーブル４がＭＯ用ターンテーブル２にに吸着するためのリング状の鋼板であり、ＭＯ用ターンテーブルキャップ２ｄに固定される。また、ＭＯ用ターンテーブルキャップ２ｄ下面には、テーパ部２ｆが設けられており、ＣＤ−ＲＯＭ用ターンテーブル４がＭＯ用ターンテーブル２に吸着する場合の芯出しを行う。
【００４０】
ＣＤ−ＲＯＭ用ターンテーブル４には、ＭＯ用ターンテーブル２下面に吸着して装着状態を形成するためのリング状吸着マグネット４ａが固定されている。その中心には、スピンドルシャフト段部３ｂに嵌め合い、上下にしゅう動可能になるようなセンターホール４ｃが設けられている。
４ｂはＣＤ−ＲＯＭ２５用のクランプ面であり、ＣＤ−ＲＯＭ２５はこの面上で滑りなくクランプされる必要がある。そのため、クランプ面４ｂの表面にはＣＤ−ＲＯＭ２５との摩擦を大きくする材料、例えば薄いゴムシート等が貼り付けられている。
【００４１】
ＣＤ−ＲＯＭ用ターンテーブル４の中心付近には段付き部４ｄが設けられており、ＭＯ用ターンテーブル２に吸着した場合にテーパ面２ｆに嵌め合い、芯出しが精度良く行われるように構成されている。
７は弾性部材たるスプリングであり、ＭＯ用ターンテーブル２とＣＤ−ＲＯＭ用ターンテーブル４の間に挿入されて挟持され、ＣＤ−ＲＯＭ用ターンテーブル４をスピンドルモータ３側に押し下げるように作用する。
【００４２】
尚、このスプリング７の強さであるが、ＭＯ用ターンテーブル２とＣＤ−ＲＯＭ用ターンテーブル４が吸着しているときには、それらを引き離して、前記の装着状態から脱して退避させるほど力は無いが、ＣＤ−ＲＯＭ用ターンテーブル４がスピンドルモータ３側に退避した退避状態においては、ＣＤ−ＲＯＭ用ターンテーブル４が自然にＭＯ用ターンテーブル２に吸着してしまうことを防ぐ程度の力を発揮するように設定されている。
【００４３】
５のＣＤ−ＲＯＭクランプハブは、ＣＤ−ＲＯＭクランプディスク５ｂと、ＭＯ用ターンテーブル２のＭＯ吸着マグネット２ｃに吸着させるためのリング状の鋼板５ｆとＣＤ−ＲＯＭクランプディスク５ｂを吊り下げておくための吊り下げハブ５ａから構成される。
リング状の鋼板５ｆは、ＣＤ−ＲＯＭクランプディスク５ｂの下面に固定される。
【００４４】
また、ＣＤ−ＲＯＭクランプディスク５ｂは吊り下げハブ５ａの回りを回転自在に吊り下がっている。ＣＤ−ＲＯＭクランプディスク５ｂにはテーパ面５ｃが設けられており、これがＣＤ−ＲＯＭ２５のセンターホール２６に嵌合するように構成されており、更にその中心にあるディスクセンターホール５ｄは、スピンドルシャフト３ａにガタツキ無く嵌合するように構成されている。この嵌合によりＣＤ−ＲＯＭ２５ではスピンドルシャフト３ａに対して精度良く中心出しがされ、位置決めが行われる。
【００４５】
尚、吊り下げハブ５ａはコンパチブルドライブ装置１のサイドバー１ａから吊り下がっている。
図１に示すように、ディスク搭載トレイ１００はコンパチブルドライブ装置１からスライドしてトレイのみが引き出されて、コンパチブルドライブ装置１の外に突出可能となるように構成されている。このディスク搭載トレイ１００の上面には、ＣＤ−ＲＯＭ２５を置くためのＣＤ−ＲＯＭ設置溝１００ａと、ＭＯカートリッジ１０置くためのＭＯカートリッジ用溝１００ｂが設けてある。
【００４６】
また、ＭＯ等のディスクを読み書きするための光ピックアップユニット１２３や、具備するディスクチャッキングのための上記構成部分がディスク面にアクセスするためのアクセス窓１００ｃが設けてある。このアクセス窓１００ｃの後方両端には、上記のＭＯ用ターンテーブル２への吸着による装着状態から引き離されて退避状態に置かれたＣＤ−ＲＯＭ用ターンテーブル４を持ち上げて、所定位置に復帰させるための復帰ツメ１０１が設けられている。
【００４７】
図２、図３、及び図７に示すように、スピンドルモータ３とそのシャフト３ａ周りの構成部品、ディスクを読み書きするための光ピックアップユニット１２３とその送り機構は全てドライブベース部１２１上に搭載される。ドライブベース部１２１の後端はピン１２２によって本体シャーシ１ｂに回動可能に接合される。
【００４８】
図７（ａ）に示すように、ディスク搭載トレイ１００が矢印Ａ方向にスライドした状態にあるときは、ドライブベース部１２１は図示せぬ機構によって下方に退避する。次に図７（ｂ）に示すようにディスク搭載トレイ１００を矢印Ｂ方向にスライドさせると、ドライブベース部１２１は上方に跳ね上がり、ディスクをチャッキングできる状態になる。
【００４９】
尚、ディスク搭載トレイ１００のスライド動作は使用者自身の手により行うか、又はモータなどを用いて自動で行うことも可能である。
次に、本発明の一実施例であるコンパチブルドライブ装置１の動作について説明する。先ず、ディスク搭載トレイ１００の動作について図８を用いて説明する。
【００５０】
図８（ａ），（ｂ）では、ＣＤ−ＲＯＭ用ターンテーブル４がスピンドルモータ３側に退避した状態を示している。
ディスク搭載トレイ１００が矢印Ａ方向にスライドして装置の外に出るときは、先ずドライブベース部１２１が下方に退避する。更にディスク搭載トレイ１００がスライドしてゆくと、復帰ツメ１０１がＣＤ−ＲＯＭ用ターンテーブル４を上方に押し上げながら通過する。
【００５１】
この作用によって、ＣＤ−ＲＯＭ用ターンテーブル４が上方に移動して、ＣＤ−ＲＯＭ用ターンテーブル４に設けられた吸着マクネット４ａがＭＯ用ターンテーブル２の下面に取り付けられたリング状鋼板２ｅに吸着する。即ち、ディスク搭載トレイ１００がディスクの入れ換えや搭載を行うために矢印Ａ方向にスライド動作を行う場合、常にＭＯターンテーブル用クランプ面２ｂとＣＤ−ＲＯＭ用ターンテーブル４のＣＤ−ＲＯＭ用クランプ面４ｂが同一面上になる。
【００５２】
次に、ＣＤ−ＲＯＭ２５をセットする場合の動作について図２及び図４を持ちいて説明する。この時、ディスク搭載トレイ１００が装置１の外にスライドされた後の状態であるから、前述のようにＣＤ−ＲＯＭ用ターンテーブル４のＣＤ−ＲＯＭ用クランプ面４ｂとＭＯターンテーブル用クランプ面２ｂは同一面を形成している。
【００５３】
ディスク搭載トレイ１００（図２には示されない）にＣＤ−ＲＯＭ２５を載せ、装置１内にスライドさせると、ドライブベース部１２１が上方にせり上がる。その際、ＣＤ−ＲＯＭクランプハブ５の鋼板５ｆがＭＯ用ターンテーブル２の設けられた吸着マグネット２ｃに磁力により引き寄せられるため、ＣＤ−ＲＯＭ用クランプディスク５ｂがテーパ面５ｃを用いてＣＤ−ＲＯＭ２５のセンターホール２６に嵌まり込む。そして同時にＣＤ−ＲＯＭ用クランプディスク５ｂのディスクセンターホール５ｄがスピンドルシャフト３ａに嵌まり込んで、ＣＤ−ＲＯＭ２５の回転中心出しが精度良く行われて位置決めされてセットされる。
【００５４】
この時、ＣＤ−ＲＯＭ用ターンテーブル４は、その段付き部４ｄがＭＯ用ターンテーブル２の下面のテーパ部２ｆに嵌合するため、ＭＯ用ターンテーブル２とＣＤ−ＲＯＭ用ターンテーブル４の中心出しも精度良く行われている。この状態でＣＤ−ＲＯＭ２５の読み込みがなされる。
次に、ＭＯカートリッジディスクの読み書きを行う場合について、図３及び図５並びに図１を用いて説明する。
【００５５】
ディスク搭載トレイ１００（図３には示されない）を引き出してＣＤ−ＲＯＭ２５を取り出してから、ＭＯ設置用のＭＯカートリッジ用溝１００ｂにＭＯカートリッジ１０をはめ込む。
次にディスク搭載トレイ１００を装置１内に押し込むと、初めに図示されないシャッターオープン機構によって、ＭＯカートリッジ１０のシャッター１０ｅが開かれる。
【００５６】
そして、ドライブベース部１２１がせり上がってくると、ＭＯカートリッジ１０とＣＤ−ＲＯＭ用ターンテーブル４が干渉するために、そのせり上がる力によってＣＤ−ＲＯＭ用ターンテーブル４はスピンドルモータ３側に押し付けられ、ＣＤ−ＲＯＭ用ターンテーブル４とＭＯ用ターンテーブル２の上記の磁力による吸着は解除され、装着状態は脱せられる。
【００５７】
このときスプリング７がＣＤ−ＲＯＭ用ターンテーブル４をスピンドルモータ３側に押さえつけるために、ＭＯカートリッジ１０と干渉しない位置までスピンドルモータ３側に移動する。
尚、スプリング７の作用により、スピンドルモータ３の回転中などにＣＤ−ＲＯＭ用ターンテーブル４が誤って上方に移動し、ＭＯカートリッジ１０と干渉する可能性は無い。またこの時、ＣＤ−ＲＯＭクランプハブ５はサイドバー１ａから吊り下げられているだけであるので、ＭＯカートリッジ１０によって上方に押し上げられた状態となっており、何ら作用しない。
【００５８】
ＭＯカートリッジディスクの読み書きの後、再びディスク搭載トレイ１００を装置１から引き出すと、上記の復帰ツメ１０１の作用により、ＣＤ−ＲＯＭ用ターンテーブル４が押し上げられ、ＣＤ−ＲＯＭ用ターンテーブル４とＭＯ用ターンテーブル２が吸着し、ＣＤ−ＲＯＭ２５のセット可能な初期位置に復帰するため、次にＣＤ−ＲＯＭ２５をセットしても、ＭＯディスク１０ａ（ＭＯカートリッジ１０）をセットしても正常な装着状態とそれに伴う正常なドライブが確保される。
【００５９】
このように、本実施例に係るコンパチブルドライブ装置１は、ＣＤ−ＲＯＭ２５とＭＯディスク１０ａとを選択的にチャッキングすることが可能であり、よって同一のドライブ装置１でＣＤ−ＲＯＭ２５及びＭＯディスク１０ａをドライブさせることが可能となる。また、特別な操作をすることなく殆ど自動的に、光磁気ディスク装着状態からＣＤ−ＲＯＭ装着状態に切り換えることができる。
【００６０】
【発明の効果】
上述の如く本発明によれば、次に述べる種々の効果を実現できる。請求項１及び請求項２記載の発明によれば、ＣＤ−ＲＯＭと光磁気ディスクとを選択的にチャッキングすることが可能となり、よって同一のドライブ装置でＣＤ−ＲＯＭ及び光磁気ディスクをドライブさせることが可能となる。また、光磁気ディスクのチャッキング時において、不用意にＣＤ−ＲＯＭ用ターンテーブルが移動して光磁気ディスクと干渉することを防止することができる。
【００６１】
また、請求項３記載の発明によれば、ＣＤ−ＲＯＭ用ターンテーブルに装着されたＣＤ−ＲＯＭのドライブ動作と光磁気ディスクのドライブ動作との動作の一体化を高い精度で行うことが可能となる。
従って、同一のドライブ装置でＣＤ−ＲＯＭ及び光磁気ディスクを確実にドライブさせることが可能となる。
【００６２】
また、請求項４記載の発明によれば、簡単かつ安価な構成でＣＤ−ＲＯＭ用ターンテーブルに装着されたＣＤ−ＲＯＭのドライブ動作と光磁気ディスクのドライブ動作との動作の一体化を確実に高い精度で行うことが可能となる。
また、請求項５記載の発明によれば、ＣＤ−ＲＯＭ用ターンテーブルに装着されたＣＤ−ＲＯＭのドライブ動作と光磁気ディスクのドライブ動作との動作の一体化を高い精度で確実に行うことが可能となる。
【００６３】
また、請求項６記載の発明によれば、確実でドライブ動作に支障のないＣＤ−ＲＯＭのＣＤ−ＲＯＭ用ターンテーブルへのチャッキングが可能となる。
【００６４】
また、請求項７記載の発明によれば、ＣＤ−ＲＯＭ用ターンテーブル上でのＣＤ−ＲＯＭの位置決めを精度良く且つ容易に行うことを可能とし、ＣＤ−ＲＯＭのクランプと同時にその位置決めを確実に再現性良く行うことを可能とする。また、請求項８記載の発明によれば、各ディスクに応じて記録／再生用のヘッドの駆動位置を変更する必要はなく、よってヘッドの駆動機構の簡単化を図ることができると共に装置の小型化を図ることができる。
【００６５】
また、請求項９記載の発明によれば、ディスク搭載トレイのスライド動作後に行う、ディスクの装着時には、例えＣＤ−ＲＯＭ用ターンテーブルが下降した状態で装着された光磁気ディスクをＣＤ−ＲＯＭに取り替えようとする場合でも、装置をＣＤ−ＲＯＭ又は光磁気ディスクの何れをも装着可能な状態に自動的にすることが可能となる。
【００６６】
従って、ＣＤ−ＲＯＭと光磁気ディスクとを選択的にいつでもチャッキングすることが可能となり、同一のドライブ装置でＣＤ−ＲＯＭ及び光磁気ディスクをドライブさせることが可能となる。また、請求項１０記載の発明によれば、簡単かつ安価な構成で、ディスク搭載トレイのスライド動作時に、光磁気ディスク装着により下降したＣＤ−ＲＯＭ用ターンテーブルをＣＤ−ＲＯＭ装着も可能な状態に確実に復帰させることが可能となる。
【００６７】
また、請求項１１記載の発明によれば、同一のドライブ装置で簡単な構成によりＣＤ−ＲＯＭ及び光磁気ディスクをドライブさせることが可能となる。更に、ＣＤ−ＲＯＭ用ターンテーブル上でのＣＤ−ＲＯＭの芯出しを確実且つ容易なものとすることが可能となる。また、装置をＣＤ−ＲＯＭ又は光磁気ディスクの何れをも装着可能な状態に自動的にすることが可能となる。
【００６８】
以上より、ＣＤ−ＲＯＭと光磁気ディスクとを選択的にいつでも正しい位置にチャッキングすることが可能であり、ＣＤ−ＲＯＭ及び光磁気ディスクの双方をドライブさせることが可能なドライブ装置を提供することができる。
【図面の簡単な説明】
【図１】本発明の一実施例であるコンパチブルドライブ装置の外観を示す斜視図である。
【図２】ＣＤ−ＲＯＭ装着状態における本発明の一実施例であるコンパチブルドライブ装置の断面図である。
【図３】光磁気ディスク装着状態における本発明の一実施例であるコンパチブルドライブ装置の断面図である。
【図４】ＣＤ−ＲＯＭ装着状態における本発明の一実施例であるコンパチブルドライブ装置の平面図である。
【図５】光磁気ディスク装着状態における本発明の一実施例であるコンパチブルドライブ装置の平面図である。
【図６】本発明の一実施例であるコンパチブルドライブ装置の分解斜視図及び対応する断面図である。
【図７】本発明の一実施例であるコンパチブルドライブ装置の動作を説明するための図である。
【図８】本発明の一実施例であるコンパチブルドライブ装置の復帰動作を説明するための図である。
【符号の説明】
１    コンパチブルドライブ装置
１ａ    サイドバー
１ｂ    本体シャーシ
２    ＭＯ用ターンテーブル
２ｂ    ＭＯ用クランプ面
２ｃ    ＭＯ吸着マグネット
２ｄ    ＭＯ用ターンテーブルキャップ
２ｅ    鋼板
２ｆ    テーパ部
３    スピンドルモータ
３ａ    スピンドルシャフト
３ｂ    スピンドルシャフト段部
４    ＣＤ−ＲＯＭ用ターンテーブル
４ａ    リング状吸着マグネット
４ｂ    ＣＤ−ＲＯＭ用クランプ面
４ｃ    センターホール
４ｄ    段付き部
５    ＣＤ−ＲＯＭクランプハブ
５ａ    吊り下げハブ
５ｂ    ＣＤ−ＲＯＭクランプディスク
５ｃ    テーパ面
５ｄ    ディスクセンターホール
５ｆ    リング状鋼板
７    スプリング
１０    ＭＯカートリッジ
１０ａ    ＭＯディスク
１０ｃ    ＭＯセンターホール
１０ｄ    チャッキングハブ
２５    ＣＤ−ＲＯＭ
２６    ＣＤ−ＲＯＭセンターホール
１００    ディスク搭載トレイ
１００ａ    ＣＤ−ＲＯＭ設置溝
１００ｂ    ＭＯカートリッジ用溝
１００ｃ    アクセス窓
１０１    復帰ツメ
１２１    ドライブベース部
１２２    ピン
１２３    光ピックアップユニット
【図１】
0003685911.tif 000002
【図２】
0003685911.tif 000003
【図３】
0003685911.tif 000004
【図４】
0003685911.tif 000005
【図５】
0003685911.tif 000006
【図６】
0003685911.tif 000007
【図７】
0003685911.tif 000008
【図８】
0003685911.tif 000009